(57)【要約】【課題】  装着された高周波発信回路に装着者が発散した汗（水分）が接触することを安価に防止することのできるゼッケンを提供する。【解決手段】  識別表示が付されたゼッケン本体１０の表面に、回路保持タグ２０が取り付けられている。回路保持タグ２０は極超短波帯（ＵＨＦ）の周波数で動作する高周波発信回路が装着され、ゼッケン本体の表面から高周波発信回路を離すように高周波発信回路を保持する形状を記憶できるシート材料から形成されている。これにより、高周波発信回路とゼッケン本体との間には間隔が確保され、従って高周波発信回路に（水分）が到達するのを防止することができる。【選択図】  図１
2015181489.tif 000002
【特許請求の範囲】
【請求項１】
識別表示が付されたるシート状または布状のゼッケン本体に、極超短波帯（ＵＨＦ）の周波数で動作する高周波発信回路が装着されてなるゼッケンであって、
前記ゼッケン本体の表面から前記高周波発信回路を離すように前記高周波発信回路を保持する形状を記憶できるシート材料から形成された回路保持部材が、前記ゼッケン本体の前記表面に取り付けられていることを特徴とするゼッケン。
【請求項２】
前記回路保持部材は、帯状の前記シート材料の両端に、前記表面に取り付けられる一対の被取付部を有し且つ該一対の被取付部の少なくとも一方に隣接して１以上の折り返し部を有するように前記シート材料に折り曲げ加工が施されて、前記ゼッケン本体の前記表面から前記高周波発信回路を離すように前記高周波発信回路を保持する形状が形成されたものである請求項１に記載のゼッケン。
【請求項３】
前記回路保持部材は、帯状の前記シート材料の両端に、前記表面に取り付けられる一対の被取付部を有し、前記一対の被取付部の一方に隣接して折り返し部を有さず、前記一対の被取付部の他方に隣接して２つの折り返し部を有するように前記シート材料に折り曲げ加工が施されて前記形状が形成されたものである請求項２に記載のゼッケン。
【請求項４】
前記回路保持部材は、帯状の前記シート材料の両端に、前記表面に取り付けられる一対の被取付部を有し、前記一対の被取付部の一方に隣接して１つの折り返し部を有し且つ前記一対の被取付部の他方に隣接して２つの折り返し部を有するように前記シート材料に折り曲げ加工が施されて前記形状が形成されたものである請求項２に記載のゼッケン。
【請求項５】
前記回路保持部材は、帯状の前記シート材料の両端に、前記表面に取り付けられる一対の被取付部を有し、前記一対の被取付部の一方に隣接して２つの折り返し部を有し且つ前記一対の被取付部の他方に隣接して２つの折り返し部を有するように前記シート材料に折り曲げ加工が施されて前記形状が形成されたものである請求項２に記載のゼッケン。
【請求項６】
前記高周波発信回路はフレキシブル基板の上に形成されており、
前記ゼッケン本体の前記表面と対向する前記回路保持部材の裏面に、前記フレキシブル基板が取り付けられている請求項１乃至５のいずれか１項に記載のゼッケン。
【請求項７】
前記高周波発信回路はフレキシブル基板の上に形成されており、
前記フレキシブル基板が前記回路保持部材を兼ねている請求項１乃至５のいずれか１項に記載のゼッケン。
【請求項８】
前記一対の被取付部は、前記ゼッケン本体の前記表面に両面テープ、接着剤、溶着等により取り付けられている請求項１乃至７のいずれか１項に記載のゼッケン。
【請求項９】
前記シート材料は、ＰＥＴ樹脂シート等の合成樹脂シートからなる請求項１乃至６のいずれか１項に記載のゼッケン。
【請求項１０】
前記シート材料は、通気性を有することを特徴とする請求項１に記載のゼッケン。
【請求項１１】
前記ゼッケンが使用者に装着された状態で、前記高周波発信回路に含まれる指向性アンテナの指向方向が、受信機が設置される方向に向く姿勢で前記回路保持部材が前記ゼッケン本体の前記表面に取り付けられている請求項１に記載のゼッケン。
【請求項１２】
識別表示が付されたシート状または布状のゼッケン本体に、極超短波帯（ＵＨＦ）の周波数で動作する高周波発信回路を装着する方法であって、
前記ゼッケン本体の表面から前記高周波発信回路を離すように前記高周波発信回路を保持する形状を記憶できるシート材料から形成された回路保持部材を、前記ゼッケン本体の前記表面に取り付けることを特徴とするゼッケンへの高周波発信回路の装着方法。
【発明の詳細な説明】
【技術分野】
【０００１】
本発明は、スポーツイベントにおいて各競技者が一定の地点に到達した時刻を特定するためのゼッケンに関し、さらに詳しくは、大規模なスポーツイベントであっても確実な計時を安価に実現することのできるゼッケン及びゼッケンへの高周波発信回路の装着方法に関する。
【背景技術】
【０００２】
近年、例えば市民マラソンやクロスカントリーや自転車ロードレースのような千単位から万単位の大人数の競技者が参加するスポーツイベントが盛んに行われている。このような大規模なスポーツイベントにおいては、各競技者が一定の地点に到達した時刻をそれぞれ特定することを要するが、手作業では人手が多くかかり、誤りや不正も生じやすい。そこで現在では、計時を人手を介さず自動的に行うために、それぞれ固有の信号を発信する発信器を、スポーツを行う者が着用する靴に装着したり、スポーツを行う際に個体の識別を目的として着用する表示であるゼッケン（競技によりビブ、ビブス、ナンバーカードなどとも呼ばれる）に装着したものを利用することが提案されている。計時が必要な一定の地点には受信アンテナを含む受信機を配置し、受信機が一定の地点に到着した各競技者が着用する靴や各ゼッケンに装着された発信器の発する固有信号を受信して、受信機に接続された管理システムに送信することにより、各競技者ごとの一定の地点に到達した時刻を特定することができる（特開２００２−１８６７００号公報、特許文献１）。
【先行技術文献】
【特許文献】
【０００３】
【特許文献１】特開２００２−１８６７００号公報
【発明の概要】
【発明が解決しようとする課題】
【０００４】
上述のような発信器を靴に装着した場合には、人体から発信機を遠ざけることはできるものの次のような問題が生じる。すなわち、現在使用されている発信回路は短冊状になっており、参加者は短冊状の発信回路を靴ひもの下に通してリング状にする作業を行い、テープ、ホチキス、嵌め合わせ構造等の適宜の接続手段により固定する。しかしながら、その際に、発信機の回路面を下側（足の甲側）にしてしまうと人体と密接してしまうため、人体に含まれる水分や鉄分のために、信号を読み取れないおそれがある。また、リング状にした発信器ごと靴ひもで押しつぶしてしまうおそれもある。
【０００５】
これに対して発信回路は、一度のスポーツイベントについて、時には何万枚も用意しなければならず、使い捨てにするには高価に過ぎていた。従って競技終了後に各競技者から発信回路を回収して再利用しなければならなかったが、回収作業にも多くの人手を要する一方、競技者の自主性に委ねると記念品として持ち帰られてしまうことも多かった。そのため、使い捨てに見合う安価な発信器が所望されていたが、最近になって、従来の超短波（ＶＨＦ）帯域を利用する高価な発信素子よりも遙かに安価な極超短波（ＵＨＦ）帯域の高周波発信素子が入手可能になり、これを用いることにより、安価に発信器を作成することが可能になってきた。
【０００６】
このような高周波発信素子を含む発信器は、スポーツの競技者が身につけるものであるから、なるべく重量が軽く、かつ嵩張らないものであることが好ましい。最も容易には、例えば表面にＬＣ回路及び発信アンテナを印刷し、高周波発信ＩＣ素子を接続することにより高周波発信回路を構成するフレキシブル基板を、ゼッケンに直接貼り付けることで、発信器をかなり安価に実現することができる。
【０００７】
しかしながら、人体から出る水分がゼッケンを通過したり、水蒸気となって体の外に発散される。そのためゼッケンに貼り付けられた高周波発信回路に水分が悪影響を及ぼすおそれがある。すなわち、ゼッケンを装着した競技者が汗をかくと、ゼッケンの裏面側から浸み込んだ汗が表面側へと浸み出し、ゼッケンの表面側に貼り付けられた高周波発信回路に到達するか、体から発散された水蒸気が高周波発信回路の周囲に到達する。その結果、高周波発信回路では、水分が接触して濡れることにより、高周波発信回路が発生する電波の周波数が変動する可能性がある。そのため、高周波発信回路に汗（水分）が接触すると、受信機が高周波発信回路の発する固有信号を受信できず、競技者が一定地点を通過した時刻を特定できないことがある。これを防止するためには、例えばフレキシブル基板をラミネート加工等により防水加工を施せばよいが、工程の増加によるコストの上昇につながり、高周波発信ＩＣ素子を用いて発信器のコストを抑えるという意義が滅却してしまう。
【０００８】
よって本発明の目的は、装着された高周波発信回路に悪影響を及ぼす水分・鉄分を含む人体が直接触れたり、蒸気化した汗が触れることを安価に防止することのできるゼッケン及びゼッケンへの高周波発信回路の装置方法を提供することにある。
【課題を解決するための手段】
【０００９】
本発明のゼッケンは、識別表示が付されたシート状または布状のゼッケン本体に、極超短波帯（ＵＨＦ）の周波数で動作する高周波発信回路が装着されてなり、ゼッケン本体の表面から高周波発信回路を離すように高周波発信回路を保持する形状を記憶できるシート材料から形成された回路保持部材が、ゼッケン本体の表面に取り付けられている。
【００１０】
このような構成によると、高周波発信回路はシート材料から形成された回路保持部材により保持されており、回路保持部材の形状はゼッケン本体の表面から高周波発信回路を離すように形状を記憶しているので、高周波発信回路とゼッケン本体との間には間隔が確保され、装着者の人体（水分、鉄分）及び汗の影響を防止することができる。また回路保持部材は形状を記憶できるシート材料から形成されているため、多数枚のゼッケンを重ねて箱に収納するときに、回路保持部材は扁平状態となって、ゼッケン全体の厚みを部分的に極端に厚くすることがない。そのため多数枚のゼッケンを箱詰めにしても、回路保持部材の存在で箱が極端に膨らむことを防止できる。またシート材料は、形状保持機能を有するため、箱からゼッケンを取り出すと、回路保持部材は元の状態に形状が復帰する。そのため特別に回路保持部材の形状を元に戻すための作業が不要となる。
【００１１】
回路保持部材の形状を、ゼッケン本体の表面から高周波発信回路を離すような形状にするために、回路保持部材は、帯状のシート材料の両端に、表面に取り付けられる一対の被取付部を有し且つ一対の被取付部の少なくとも一方に隣接して１以上の折り返し部を有するようにシート材料に折り曲げ加工が施されて、ゼッケン本体の表面から高周波発信回路を離すように高周波発信回路を保持する形状が形成されていてもよい。
【００１２】
一対の被取付部のゼッケン本体の表面への取り付け手段は、接着、溶着、縫合、両面テープ等、水分の存在や競技による衝撃や振動に耐えて競技中に脱落することなく取り付けることができれば、特に限定されない。例えばホットメルト接着剤や感圧接着剤により接着したり、接着テープで止めたり、被取付部に空けた孔を利用して縫合したり安全ピンで止めるような手段が好適に適用可能である。
【００１３】
取り付けは、ゼッケンを各競技者に配布する前に実施されても、配布を受けた後に各競技者により行われてもよい。また、もしも競技中に回路保持部材の被取付部がゼッケン本体から脱落しても、競技者が回路保持部材を喪失することがないように、回路保持部材には補助的な競技者への接続手段が備えられていてもよい。例えば、競技者の首に掛けるためのループ状の紐や、先端にゼッケンや衣服の縁などに挟むことのできるクリップの付いた紐などである。
【００１４】
帯状のシートである回路保持部材の両端の一対の被取付部の少なくとも一方に隣接して１以上の折り返し部を有するようにすると、回路保持部材の保持する高周波発信回路を確実にゼッケン本体の表面から離すようにすることができる。
【００１５】
回路保持部材は、帯状のシート材料の両端に、表面に取り付けられる一対の被取付部を有し、一対の被取付部の一方に隣接して折り返し部を有さず、一対の被取付部の他方に隣接して２つの折り返し部を有するようにシート材料に折り曲げ加工が施されて形状が形成されていてもよい。
【００１６】
また回路保持部材は、帯状のシート材料の両端に、表面に取り付けられる一対の被取付部を有し、一対の被取付部の一方に隣接して１つの折り返し部を有し且つ一対の被取付部の他方に隣接して２つの折り返し部を有するようにシート材料に折り曲げ加工が施されて形状が形成されていてもよい。
【００１７】
さらにまた回路保持部材は、帯状のシート材料の両端に、表面に取り付けられる一対の被取付部を有し、一対の被取付部の一方に隣接して２つの折り返し部を有し且つ一対の被取付部の他方に隣接して２つの折り返し部を有するようにシート材料に折り曲げ加工が施されて形状が形成されていてもよい。
【００１８】
折り返し部の形成は、各競技者にゼッケンが配布される前に回路保持部材がゼッケン本体に取り付けられている場合には既に完了しており、折り曲げ加工は常法による。一方、各競技者がゼッケン本体と別に回路保持部材を配布されてゼッケン本体の表面に回路保持部材の被取付部を取り付ける場合には、その前に各競技者が配布の後に所定の形状に折り返し部を形成する作業を行うえばよい。
【００１９】
高周波発信回路はフレキシブル基板の上に形成されており、ゼッケン本体の表面と対向する回路保持部材の裏面に、フレキシブル基板が取り付けられているようにすることが好ましい。
【００２０】
フレキシブル基板の上に回路を形成することにより、印刷により安価に厚みの薄い回路基板を得ることができる。またゼッケン本体の表面と対向する回路保持部材の裏面にフレキシブル基板を取り付けることによって、雨や霧など大気中の水分や、競技者が水分を補給する際にこぼれた水分の影響を最小限に抑えることができる。
【００２１】
また高周波発信回路をフレキシブル基板の上に形成する場合には、フレキシブル基板が回路保持部材を兼ねているようにしてもよい。フレキシブル基板が回路保持部材を兼ねることにより、さらに安価にゼッケンを製造することができる。
【００２２】
シート材料は、吸湿性が低く、形状を記憶するための適度な可撓性と弾力性とを有する材料により作られているのが好ましく、好適にはＰＥＴ（ポリエステル）樹脂シート等の合成樹脂シートからなる。その他にポリアミドやポリエチレンナフタレートが通常のフレキシブル基板の材料として汎用されており、本発明のフレキシブル基板の材料としても使用可能である。
【００２３】
また本発明のゼッケンは、ゼッケンが使用者に装着された状態で、高周波発信回路に含まれる指向性アンテナの指向方向が、受信機が設置される方向に向く姿勢で回路保持部材がゼッケン本体の表面に取り付けられていることが好ましい。
【００２４】
本発明を方法として特定すると、本発明は、識別表示が付されたシート状または布状のゼッケン本体に、極超短波帯（ＵＨＦ）の周波数で動作する高周波発信回路を装着する方法であって、ゼッケン本体の表面から高周波発信回路を離すように高周波発信回路を保持する形状を記憶できるシート材料から形成された回路保持部材を、ゼッケン本体の表面に取り付けることを特徴とするゼッケンへの高周波発信回路の装着方法となる。
【図面の簡単な説明】
【００２５】
【図１】本発明のゼッケンの一つの実施の形態を示す斜視図であり、各図においては説明のために部材の厚さを実際よりも厚く示してある場合がある。
【図２】図１に示したゼッケンが着用された状態を示す斜視図である。
【図３】折り曲げ加工が施される前の図１に示したゼッケンに適用される回路保持タグの裏面を示す底面図である。
【図４】（Ａ）は図１に示したゼッケンを示す部分側面図であり、（Ｂ）は本発明のゼッケンの他の実施の形態を示す部分側面図であり、（Ｃ）は本発明のゼッケンのさらに他の実施の形態を示す部分側面図であり、各図において同じ機能を奏する部材は同じ符号を付して示す。
【発明を実施するための形態】
【００２６】
以下、図面を参照しつつ本発明のゼッケンの実施の形態について説明する。図１において、本発明の一つの実施の形態であるゼッケンは、ゼッケン本体１０と、ゼッケン本体１０に取り付けられた回路保持タグ（回路保持部材）２０とからなる。
【００２７】
ゼッケン本体１０は通気性を有するシート状または布状の材料から形成されている。ゼッケン本体１０には、競技者を識別するための識別表示である４桁の番号１２が表面に印刷されている。その他にも大会名やスポンサー名や主催者名等の他の表示１４がゼッケン本体１０の表面に印刷されている。
【００２８】
図１のゼッケンはいわゆる前掛けタイプであり、図２に示されるように、着用された状態では人間の胸側にゼッケン本体１０が位置する。方形のゼッケン本体１０の四隅には、それぞれ一対の紐１６及び紐１８が接続されている。ゼッケン本体１０の上方の２つの隅に接続された紐１６は、人間の背中側に位置するもう一枚のゼッケン本体１１の上方の２つの隅に接続されている。ゼッケン本体１０、１１の下方の２つの隅にそれぞれ接続されている紐１８は自由端になっている。着用する際には、人間は頭を一対の紐１６、１６の間に入れてゼッケン本体１０、１１を胸側と背中側に配置し、紐１８を結んで締めることにより、ゼッケン本体１０、１１が胸側と背中側にほぼ固定され、着用された状態になる。
【００２９】
図１及び図２に示した前掛けタイプのゼッケンの他に、識別表示が付された単なる方形のシート状または布状で、安全ピンや両面テープ等で衣服の胸や背中の部位に止めるナンバープレートタイプのゼッケンや、サッカー等でビブスと称される肩幅ぐらいの幅で中心に頭を貫通するための孔の空けられた形状のゼッケンや、Ｔシャツの袖を除いた形状のゼッケン等も、表面に識別表示が付されている限り、本発明のゼッケンに含まれる。
【００３０】
ゼッケン本体１０は、競技者にとって体温の上昇を抑制して、快適なように、通気性を有している。通気性は、ゼッケン本体１０を例えば薄い木綿やポリエステルの布製等とすることにより確保される。またゼッケン本体を通気性を有しない合成樹脂シート製とするときには、多数の通気孔を空けることにより通気性を確保することができる。その他に、ゼッケン本体はメッシュ素材や目の粗い不織布等を使用することができる。この場合、ゼッケン上の「番号」１２やスポンサー名等の「他の表示」１４にも、多数の通気孔が設けられている。なお通気性を有しないゼッケン本体を使用してもよいのは勿論である。
【００３１】
本実施の形態では、ゼッケン本体１０の表面に、図２に示した「番号」１２の左側に、回路保持タグ（回路基板保持部材）２０が取り付けられている。回路保持タグ２０の裏面（すなわちゼッケン本体１０の表面と対向する面）には、図３に示すような、極超短波帯（ＵＨＦ）の周波数で動作する高周波発信回路２２が形成されたフレキシブル基板２１が装着されている。高周波発信回路２２は、フレキシブル基板２１の裏面に印刷により形成された指向性発信アンテナ２４を含む高周波回路パターン２３と、指向性発信アンテナ２４に接続された高周波発信用ＩＣ素子２６とからなる。なお回路保持タグ２０自体がフレキシブル基板を兼ねることにより、高周波発信回路２２を搭載した回路保持タグ２０を形成してもよい。高周波発信用ＩＣ素子２６は内部に電源を搭載していても、搭載していなくてもよい。電源を搭載していない場合には、外部からアンテナに入る電磁波エネルギを電源エネルギとして動作するＩＣを用いればよい。なお高周波発信回路２２は、例えば陸上競技に使用されるゼッケンの場合には、コースの上方または側方に配置された検知用の電波を発信する検知用アンテナの下を競技者が通過しているときに、競技者を識別するのに利用できる識別データを含む固有信号を発信するように構成することができる。
【００３２】
回路保持タグ２０はＰＥＴ樹脂シート製であり、後述するような形状を記憶するための適度な可撓性と弾力性とを有する。回路保持タグ２０は、ゼッケン本体１０の表面から回路保持タグ２０の裏面に取り付けられた高周波発信回路２２を離すように、高周波発信回路２２を備えたフレキシブル基板２１を保持する形状を記憶できる。図４（Ａ）に示すように、帯状のシートから形成された回路保持タグ２０は、その両端に、ゼッケン本体１０の表面に取り付けられる一対の被取付部２８、２８を有している。本実施の形態では、被取付部２８、２８には接着剤が塗布されており、ゼッケン本体１０の表面に接着により取り付けられる。
【００３３】
図４（Ａ）に示す本実施の形態においては、回路保持タグ２０には左端の被取付部２８に隣接して１つの折り返し部３０が設けられ、右端の被取付部２８に隣接して２つの折り返し部３２、３４が設けられるように、計３箇所に折り曲げ加工が施されている。折り返し部３０は、回路保持タグ２０の中間部分がゼッケン本体１０の表面から離れていく方向に回路保持タグ２０の形状を強制し、折り返し部３２、３４はその間の部分の長さを回路保持タグ２０とゼッケン本体１０との間隔として確保する。
【００３４】
これにより回路保持タグ２０は、ゼッケン本体１０の表面から高周波発信回路２２を離すように高周波発信回路２２を保持する形状を記憶している。すなわち回路保持タグ２０の中間部分は、各折り返し部３０、３２、３４の折り返し方向及び角度と、回路保持タグ２０を構成するシート材料の可撓性及び弾力性を調整することにより、図に示すようなアーチ状を描く。回路保持タグ２０がこのアーチ形状を記憶して保持することにより、高周波発信回路２２とゼッケン本体１０との間には、競技者が競技することによる衝撃や振動に拘わらず、十分な間隔が担保される。
【００３５】
図４（Ｂ）（Ｃ）はそれぞれ、本発明の他の実施の形態における回路保持タグを示す。図４（Ｂ）に示す回路保持タグ３６は、両端に一対の被取付部２８、２８に隣接してそれぞれ２つの折り返し部３２、３４を有する。図４（Ｃ）に示す回路保持タグ３８は、左端の方には折り返し部を有さず、右端近くに２つの折り返し部３２、３４を有する。このように回路保持タグ３６は、その両端近くに１つ以上の折り返し部を設けることにより、高周波発信回路２２を離すように、高周波発信回路２２を保持する形状を記憶できる。
【００３６】
なおフレキシブル基板２１は、高周波発信回路２２を回路保持タグ２０の裏面側に向けるようにして、回路保持タグ２０に装着してもよい。また必要性に応じて、回路保持タグ２０の表面側にフレキシブル基板２１を装着してもよい。
【００３７】
また本実施の形態のゼッケンは、ゼッケンが使用者に装着された状態で、高周波発信回路２２に含まれる指向性アンテナの指向方向が、受信機が設置される方向に向く姿勢で回路保持タグ２０がゼッケン本体１０の表面に取り付けられている。すなわち図３に示す状態で示す指向性アンテナの指向性は、図２に示すゼッケンを着用した状態では、競技者の上下方向（図２の上下方向）である。そのため受信機を競技者の頭上に設置しておくと、より確実に指向性アンテナから発信される固有信号を受信機が受信することができる。この受信機は、例えばスタートゲート、ゴールゲート及びスタートから一定距離にある複数の中間点にそれぞれ設けられる。受信機の受信アンテナも指向性がある場合には、競技者が通過する経路に指向方向が向くように配置されることは言うまでもない。
【産業上の利用可能性】
【００３８】
以上のように本発明のゼッケン及び本発明の方法によると、高周波発信回路はシート状の回路保持タグにより保持されており、回路保持タグの形状はゼッケン本体の表面から高周波発信回路を離すように形状を記憶しているので、高周波発信回路とゼッケン本体との間には間隔が確保され、装着者の人体（水分、鉄分）及び汗の影響を防止することができる。従って高周波発信回路に装着者から発散された汗（水分）が到達するのを防止することができる。これにより、大規模なスポーツイベントにおいて各競技者ごとの確実な計時を安価に実現することができる。
【００３９】
また回路保持部材は形状を記憶できるシート材料から形成されているため、多数枚のゼッケンを重ねて箱に収納するときに、回路保持部材は扁平状態となって、ゼッケン全体の厚みを部分的に極端に厚くすることがない。そのため多数枚のゼッケンを箱詰めにしても、回路保持部材の存在で箱が極端に膨らむことを防止できる。
【符号の説明】
【００４０】
１０  ゼッケン本体
１２  番号
１４  他の表示
１６、１８  紐
２０  回路保持タグ
２２  高周波発信回路
２３  高周波回路パターン
２４  指向性発信アンテナ
２６  高周波発信素子
２８  被取付部
３０、３２、３４  折り返し部
３６、３８  回路保持タグ
【図１】
2015181489.tif 000003
【図２】
2015181489.tif 000004
【図３】
2015181489.tif 000005
【図４】
2015181489.tif 000006